(57)【要約】【課題】  長繊維、ハイゲージ製品であるストッキング類であって、５本指タイプのストッキング類を簡単にかつ良好な製造効率により、低コストで製造することのできる５本指タイプのストッキング類の製造方法及び長繊維ストッキング類を提供する。【解決手段】    指股部１８に対応する分割線１０１を形成するようにマーキング糸１６を編み込ませてレッグ部に連続してトウ部を筒状に編成する工程と、マーキング糸１６に沿って指股部１８に対応する部分を裁断しつつ縫製する工程と、を含む。身部を丸編み編成し、その際、マーキングを施しておき、５本の指先部分を縫製処理により製造する。【選択図】  図１
2007023409.tif 000002
【特許請求の範囲】
【請求項１】
指股部に対応する分割線を形成するようにマーキング糸を編み込ませてレッグ部に連続してトウ部を筒状に編成する工程と、
マーキング糸に沿って指股部に対応する部分を裁断しつつ縫製する工程と、を含むことを特徴とする５本指タイプのストッキング類の製造方法。
【請求項２】
縫製時に縁かがり処理を行なうことを特徴とする請求項１記載の５本指タイプのストッキング類の製造方法。
【請求項３】
分割線が、筒状のトウ部を押し付けて二層状に重ね合わせた状態でその片側層にのみ形成されていることを特徴とする請求項１または２記載の５本指タイプのストッキング類の製造方法。
【請求項４】
マーキング糸の編み込み態様が装着時の各指の爪先を結ぶ直線状の爪先線と、爪先線から直角状に延びて形成される分割線と、を含むことを特徴とする請求項１ないし３のいずれかに記載の５本指タイプのストッキング類の製造方法。
【請求項５】
爪先線に沿って直線状に裁断、縫製し、裁断線よりも指の他端側となる部分を切り離した後に、分割線に沿って指股部に対応する部分を裁断し、縫製することを特徴とする請求項１ないし４のいずれかに記載の５本指タイプのストッキング類の製造方法。
【請求項６】
マーキング糸の編み込み態様が、横方向に直線状に延びる爪先線と、爪先線に直交状に配置される分割線を含む４本の直交線と、を含むことを特徴とする請求項１ないし５のいずれかに記載の５本指タイプのストッキング類の製造方法。
【請求項７】
直交線の一端側がトウ部の筒の開口側に至るように配置されていることを特徴とする請求項６記載の５本指タイプのストッキング類の製造方法。
【請求項８】
マーキング糸に沿う裁断と同時縫製とをオーバロックミシンにより行なうことを特徴とする請求項１ないし７のいずれかに記載の５本指タイプのストッキング類の製造方法。
【請求項９】
長繊維を編成して構成されるストッキング類であって、
レッグ部に連続して形成したトウ部の爪先側に５本の指部が設けられ、
該指部の各爪先部分と各指股部分とを含む指形状が縫製により閉着されていることを特徴とする長繊維ストッキング類。
【発明の詳細な説明】
【技術分野】
【０００１】
本発明は、脚部と足部を被覆するストッキング類の製造方法及び長繊維ストッキング類に関する。
【背景技術】
【０００２】
脚部や足部の保温、それらの皮膚の保護、脚部の整容のための、ストッキング類が知られている。ストッキング類は、靴と素足の間の緩衝材としての機能のほか、足の保温、あるいは吸湿機能があり、多くの人が日常的に素足に装着する衣類である。靴下の中でも薄手の生地で構成されるストッキング類は、ファッション的な観点から足をきれいに見せる衣類として女性を中心に強い需要があり、特に、何らかのビジネスに従事する女性にとってはパンティーストッキングを含むストッキング類は不可欠なものとなっている。一方、長繊維による細い繊維により編成されるストッキングは高密度に編み込まれており、肌を滑らかに見せる効果が高いものの、装着時あるいは、装着して靴を履いた状態で足の表面が蒸れて不衛生となり、水虫に罹患する場合がある。例えば装着時の光沢と肌触り感の良好なものを製造するために、編針数が４００本以上のハイゲージにより編成されるストッキング類が市場でもよく選択されるが、そのぶん水虫等への罹患のおそれもあり、その対策が望まれていた。これに対し、例えば特許文献１、２、３のようにストッキングあるいはパンティストッキングに５本指タイプのものを構成する提案がなされている。また、近時、５本指タイプのパンティーストッキングについて、ファッションの点からも積極的に採用していく傾向にあり、いわゆる長繊維、ハイゲージ製品による５本指タイプのストッキング類のニーズが明らかにされつつある。
【特許文献１】実開平６−５４７０６号（実用新案登録請求の範囲、図１）
【特許文献２】実用新案登録第３１００９９１号（明細書０００１、図１）
【特許文献３】実用新案登録第３００７１０５号（明細書０００７〜０００９、図１、図３）
【発明の開示】
【発明が解決しようとする課題】
【０００３】
上記の特許文献１、２のストッキングには、爪先部分に５本指がそれぞれ分かれて入る足指袋を設けたストッキングあるいはパンティストッキングの構成の示唆があるものの、例えば、シームレス編機でレッグ部分を編み込み、それに連続して筒径の大きさが大きく異なる５本の指に対応する袋部分をどのように形成し、あるいは連結させるのかの具体的な製造方法の記載はなされていない。一方、特許文献３の５本指靴下では、５本の指袋部とそれらに続く胴の一部を形成した編地からなる靴下の先端部分と、丸編み機にて、履き口側から編成して履き口とそれに続く胴の部分を形成した編地からなる靴下の先端部分を除く残りの部分からなり、上記先端部分と残りの部分を、両者の端部どうしの網目を対向させ、この対向した網目を手かがりにより縫い合わせて形成されるものが開示されている。しかしながら、この特許文献３の方法では、５本指袋部を含む靴下先端部分と、残りの部分とを継目用糸による手作業でかがり縫いして接合させるから、作業時間がかかり、作業効率が大幅に劣る上に、製造コストも高くつくものであった。また、例えば長繊維を用いた例えば針数４００〜４７０本程度のハイゲージ製品では、細い繊維でしかも編み込み密度が高く、よって、その接合部分の手作業によるかかり縫い自体が現実には困難であり、長繊維・ハイゲージのストッキング類には適用できないものであった。
【０００４】
本発明は上記従来の課題に鑑みてなされたものであり、その１つの目的は長繊維、ハイゲージ製品であるストッキング類であって、５本指タイプのストッキング類を簡単にかつ良好な製造効率により、低コストで製造することのできる５本指タイプのストッキング類の製造方法及び長繊維ストッキング類を提供することにある。
【課題を解決するための手段】
【０００５】
上記の目的を達成するために、本発明は、指股部１８に対応する分割線１０１を形成するようにマーキング糸１６を編み込ませてレッグ部に連続してトウ部１２を筒状に編成する工程(Ｓ１)と、マーキング糸１６に沿って指股部１８に対応する部分を裁断しつつ縫製する工程(Ｓ３)と、を含むことを特徴とする５本指タイプのストッキング類の製造方法から構成される。
【０００６】
その際、縫製時に縁かがり処理を行なうとよい。
【０００７】
また、分割線１０１が、筒状のトウ部１２を押し付けて二層状に重ね合わせた状態でその片側層にのみ形成させると、マーキング糸１６の縫込み位置設定、裁断・縫製作業時に容易、確実に行なえて有利である。
【０００８】
また、マーキング糸１６の編み込み態様が装着時の各指の爪先を結ぶ直線状の爪先線１０３と、爪先線から直角状に延びて形成される分割線１０１と、を含むようにするとよい。
【０００９】
さらに、爪先線１０３に沿って直線状に裁断、縫製し、裁断線よりも指の他端側となる部分（２０）を切り離した後に、分割線１０１に沿って指股部１８に対応する部分を裁断し、縫製するとよい。
【００１０】
また、マーキング糸１６の編み込み態様が、横方向に直線状に延びる爪先線１０３と、爪先線に直交状に配置される分割線１０１を含む４本の直交線１１０と、を含むとよい。
【００１１】
また、その際、直交線１１０の一端側がトウ部１２の筒の開口１４側に至るように配置されているとよい。
【００１２】
また、マーキング糸１６に沿う裁断と同時縫製とをオーバロックミシンにより行なうようにするとよい。
【００１３】
また、本発明の長繊維ストッキング類は、長繊維を編成して構成されるストッキング類であって、レッグ部に連続して形成したトウ部１２の爪先側に５本の指部２２が設けられ、該指部２２の各爪先部分（爪先線の一部）と各指股部分１８とを含む指形状が縫製により閉着された構成である。
【発明の効果】
【００１４】
本発明の５本指タイプのストッキング類の製造方法は、指股部に対応する分割線を形成するようにマーキング糸を編み込ませてレッグ部に連続してトウ部を筒状に編成する工程と、マーキング糸に沿って指股部に対応する部分を裁断しつつ縫製する工程と、を含む構成である。編成時に編みこんだマーキング糸のマーキングを利用し、これに沿って、５本の指形状を形成させるから、長繊維・針数４００本〜４７０本のハイゲージの薄地製品について、具体的に５本指タイプのストッキング類を構成でき、かつ、この種の高密度製品にしては能率的に指形を形成でき、比較的に低コストにより製造することができる。
【００１５】
また、縫製時に縁かがり処理を行なうことにより、裁断縁部分から糸がほつれてしまうことを防止し得る。
【００１６】
また、分割線が、筒状のトウ部を押し付けて二層状に重ね合わせた状態でその片側層にのみ形成することにより、マーキング糸の編成時にその編み込み位置設定等の設計を行ないやすいばかりでなく、縫製作業者を表裏混同させるようなことがなく、また、表裏面の位置ずれ等を防止し得る。
【００１７】
また、マーキング糸の編み込み態様が装着時の各指の爪先を結ぶ直線状の爪先線と、爪先線から直角状に延びて形成される分割線と、を含むようにすることにより、概略の指形状の輪郭を示すマーキングを簡単に設定することができ、また、裁断、縫製作業も円滑、容易に行なうことができる。
【００１８】
また、爪先線に沿って直線状に裁断、縫製し、裁断線よりも指の他端側となる部分を切り離した後に、分割線に沿って指股部に対応する部分を裁断し、縫製することにより、通常の身部の丸編み工程から１つの裁断、縫製処理により指が収容される指袋部が形成でき、丸編みからの工程間の移行を円滑に行なって能率的に製造作業を継続させることができる。
【００１９】
また、マーキング糸の編み込み態様が、横方向に直線状に延びる爪先線と、爪先線に直交状に配置される分割線を含む４本の直交線と、を含む構成とすることにより、マーキング糸の編み込み位置設定を行ないやすく、また、指形状形成のための縫製作業も予め指の挿入される部位を確認しながら行なえるから、作業の円滑、確実性を保持し得る。
【００２０】
また、直交線の一端側がトウ部の筒の開口側に至るように配置されて構成することにより、マーキング糸の編み込み位置設定を行ないやすく、また、指形状形成のための縫製作業も予め指の挿入される部位を確認しながら行なえるから、作業の円滑、確実性を保持し得る。
【００２１】
マーキング糸に沿う裁断と同時縫製とをオーバロックミシンにより行なうことにより、裁断、縫製、縁かがり処理までを同時に行なえ、縫製機を用いた高速な縫製処理による長繊維、ハイゲージの５本指タイプのストッキング類の製造を実現でき、高効率化、低コスト化を達成することができる。
【００２２】
また、本発明の長繊維ストッキング類によれば、長繊維を編成して構成されるストッキング類であって、レッグ部に連続して形成したトウ部の爪先側に５本の指部が設けられ、該指部の各爪先部分と各指股部分とを含む指形状が縫製により閉着されている構成であるから、例えば、オーバロックミシンを用いて、裁断、縫製、縁かがり処理までを同時に行ない、縫製機を用いた高速な縫製処理による長繊維、ハイゲージの５本指タイプのストッキング類の製造を実現でき、高効率化、低コスト化を達成することができる。
【発明を実施するための最良の形態】
【００２３】
以下、添付図面を参照しつつ本発明を実施するための最良の形態について説明する。本発明は、長繊維を用いた例えば針数４００本〜４７０本程度のハイゲージにより製造されるストッキング類であって、かつ、５本指タイプのストッキング類を簡単に、低コストで製造し得る方法及びそれらのストッキング類を提供するものである。ここに、ストッキング類は、爪先から大腿部までを覆うタイプのもの、ひざ上あるいはひざ下までの長さのもの、さらには、パンティ部を含むパンティストッキング等を含む。
【００２４】
図１ないし図５は、本発明の実施形態に係る５本指タイプのストッキング類の製造方法を示す図であり、本実施形態では、たとえばパンティストッキングの製造工程についての例を示す。パンティストッキングの製造に際しては、例えば専用のパンティストッキング編機が用いられ、ナイロン、ポリエステル等の長繊維により針数４００本〜４７０本程度のハイゲージによりシームレスの筒状に丸編み編成される。そして、２本の筒状編地が内側上端で切断、縫合され、パンティ部で一体となるように形成されている。パンティストッキングは、ウエストバンド部、パンティ部、レッグ部、ヒール部、トウ部から構成される。
【００２５】
本実施形態において、５本指タイプのストッキング類の製造方法は、指股部１８に対応する分割線１０１を形成するようにマーキング糸１６を編み込ませてレッグ部に連続してトウ部１２を筒状に編成する工程と、マーキング糸１６に沿って指股部１８に対応する部分を裁断しつつ縫製する工程と、を含む。図１は、レッグ部及びヒール部を含む身部１０に連続してトウ部１２を編成し、図２のように端部を開口１４して筒状に形成した部分の拡大図であり、トウ部１２を編成する際に、該トウ部にマーキング糸１６を編み込ませるようにしている。パンティストッキング編成は、コンピュータ制御により行なわれ、予め指定された部位にマーキング糸が編みこまれるようになっている。トウ部１２の円筒軸方向長さは指股部の基部から爪先部分までの長さよりも長く形成される。
【００２６】
本実施形態において、マーキング糸は、ストッキング類の素材生地の白色に対して十分区別しうるように、例えば赤色の色糸が用いられ、編成時に編みこまれる。図１に示すように、本実施形態では、該マーキング糸１６は、５本の足指の指股裂け目である指股部１８に対応する４本の平行な直線状の分割線１０１を形成するようにストッキング身部１０の筒体の長手方向に沿うように編込まれている。なお、本実施形態では、指股部の縫製裁断時に作業の目安となるように指股部１８の基部を結ぶ直線状の指股基部線１０２を形成させている。
【００２７】
マーキング糸１６は、トウ部の片面のみに形成されており、これによって、後述するように指股部の縫製作業時に指股部自体が片面どうしでずれて表れたり、あるいは、円筒状の編成物の対向面に正確に編み込ませるのが困難であったり、あるいは、縫製作業時に両面に付された色糸のために作業者がかえって縫製部位を見誤ったりすることを防止する。すなわち、図２に示すように、この実施形態において、マーキング糸１６は、分割線１０１が、筒状のトウ部１２を押し付けて二層状に重ね合わせた状態でその片側層にのみ形成される。
【００２８】
本実施形態において、前述したように、トウ部１２の円筒軸方向長さは指股部の基部から爪先部分までの長さよりも長く形成されている。そして、マーキング糸の編み込み態様は、人が当該ストッキングを装着する際の各指の爪先を結ぶ直線状の爪先線１０３と、爪先線から直角状に延びて形成される分割線１０１と、を含む。さらに、本実施形態において、分割線１０１は円筒軸線に直交するように横方向直線状に形成された爪先線１０３を交差して延長する延長線１０４がそれぞれ形成されている。そして、直交線をなす延長線１０４の一端側がトウ部１２の筒の開口１４側に至るように配置されている。このように、本実施形態では、横方向に形成された爪先線１０３に所要の間隔で４個の十字状の直交線１１０を分割線１０１及び延長線１０４により形成させた態様となっている。延長線１０４により十字状の直交線１１０とすることにより、編成時の編み込み位置の設定を行ないやすいものとなる。
【００２９】
上記のように、トウ部１２にマーキング糸１６を施して丸編みした後に、該マーキング糸１６に沿って指股部１８に対応する部分を裁断し、裁断線に沿って縫製して５本指タイプのストッキングの原形を完成させる。この際、まず、爪先線１０３に沿って直線状に裁断し、延長線１０４側を切り離し、裁断線に沿って直線状に縫製する。この後、分割線１０１のマーキング糸に沿って裁断しつつ指股部１８に対応する部分を切り離し、細溝状の指股部に沿って縫製する。なお、裁断後の編地の縁はほつれやすいので、縁かがり処理を行なうとよい。
【００３０】
上記のようにして、図５のような５本指タイプのストッキングの原形が完成する。この後、実際には、染色工程等を経て縫合部が内側に位置するようにストッキング本体の内外を反転させて、製品化される。
【００３１】
図６は、上記の工程中のトウ部の縫製裁断工程を示すフロー図であり、上記の縫製裁断工程は、オーバロックミシンにより行なうとよい。オーバロックミシンは、裁断しながら縫製し、さらに裁断面を包み込むように縁かがり縫いを同時に行なうことができるミシンであり、これを用いてレッグ部、トウ部を含む身部１０を丸編みし、その際、片面に色糸を編み込みながら筒体を編成させる（Ｓ１）。次に、爪先線１０３に沿って直線状に裁断、縫製、縁かがり処理を行って、延長線１０４側部分である指袋部２０を切り離す（Ｓ２）。切り離した状態が図３に示される。次に、各分割線１０１に沿って順次例えば端から指股部１８に対応する部分を裁断、縫製、縁かがり処理を行なう（Ｓ３）。この半完成品を染色工程（Ｓ４）を経て所望の色に染め上げて製品化される。
【００３２】
図４は、Ｓ３の各分割線１０１に沿って指股部１８に対応する部分を裁断、縫製、縁かがり処理を行なう工程を示しており、図に示すように、本実施形態において、各分割線１０１Ａ〜１０１Ｄの外縁を取り囲むように裁断、縫製、縁かがり処理が同時に行なわれる。そして、指股部の内側に対応する部分が切り離され、これによって、図５に示すような５本指タイプのストッキング原形ができる。
【００３３】
これによって、長繊維を編成して構成されるストッキング類であって、レッグ部に連続して形成したトウ部の爪先側に５本の指部２２が設けられ、該指部の各爪先部分（爪先線の一部１０３ａ）と各指股部分１８とを含む指形状が縫製により閉着された構成のストッキング類を形成させることができる。
【００３４】
上記した５本指タイプのストッキング類の製造方法及び長繊維ストッキング類の製造方法及び長繊維ストッキング類は、上記した実施形態の構成にのみ限られるものではなく、特許請求の範囲に記載した発明の本質を逸脱しない範囲における変更、改良も本発明に含まれる。
【産業上の利用可能性】
【００３５】
本発明の５本指タイプのストッキング類の製造方法及び長繊維ストッキング類の製造方法及び長繊維ストッキング類は、長繊維を用いたハイゲージにより製造される５本指タイプストッキング類であって、爪先から大腿部までを覆うタイプのストッキング、ひざ上あるいはひざ下までの長さのストッキング、さらには、パンティ部を含むパンティストッキング等も含んで製造が可能である。
【図面の簡単な説明】
【００３６】
【図１】本発明の第１実施形態に係る５本指タイプのストッキングの製造方法におけるトウ部とレッグ部の一部を含む拡大正面説明図である。
【図２】図１のストッキングのトウ部の筒状体を示す一部省略拡大斜視図である。
【図３】図１の状態から延長線側部分を切り離した状態の拡大正面説明図である。
【図４】分割線部分のオーバロック縫製での製造状態を示す拡大説明図である。
【図５】５本指タイプのストッキングの半完成状態の一部省略拡大説明図である。
【図６】本発明の第１実施形態に係る５本指タイプのストッキングの製造方法のフローチャート図である。
【符号の説明】
【００３７】
１０  身部
１２  トウ部
１６  マーキング糸
１８  指股部
１０１  分割線
１０３  爪先線
１０４  延長線
【図１】
2007023409.tif 000003
【図２】
2007023409.tif 000004
【図３】
2007023409.tif 000005
【図４】
2007023409.tif 000006
【図５】
2007023409.tif 000007
【図６】
2007023409.tif 000008